(57)【要約】【課題】  軸体を備える水路開閉設備を対象に、軸体の清掃に伴って発生する廃ウエスの量を最小限にすることができ、また、煩雑な作業を伴うことなく軸体の外周の潤滑剤を効率的、且つ、確実に除去することのできる水路開閉設備用清掃具を提供することを課題とする。【解決手段】  水路に設けられたゲートＡと、該ゲートＡに接続された軸体Ｂと、該軸体Ｂの外周を案内する案内体Ｃ１とを備え、前記軸体Ｂが案内体Ｃ１に案内されつつ軸心方向に移動するに伴って、前記ゲートＡが水路を開閉する水路開閉設備を対象に、前記軸体Ｂの外周に塗布された潤滑剤を除去する水路開閉設備用清掃具１であって、前記軸体Ｂの外周の少なくとも一部に沿って接触可能に構成された掻取手段５と、該掻取手段５を前記軸体Ｂの外周に接触した状態で保持するための保持手段６とを備えることを特徴とする。【選択図】図３
2010024711.tif 000002
【特許請求の範囲】
【請求項１】
水路に設けられたゲートと、該ゲートに接続された軸体と、該軸体の外周を案内する案内体とを備え、前記軸体が案内体に案内されつつ軸心方向に移動するに伴って、前記ゲートが水路を開閉する水路開閉設備を対象に、前記軸体の外周に塗布された潤滑剤を除去する水路開閉設備用清掃具であって、
前記軸体の外周の少なくとも一部に沿って接触可能に構成された掻取手段と、該掻取手段を前記軸体の外周に接触した状態で保持するための保持手段とを備えることを特徴とする水路開閉設備用清掃具。
【請求項２】
前記軸体と前記案内体とが螺合するよう構成された前記水路開閉設備を対象に、前記掻取手段は、前記軸体の外周に形成されたネジの山谷に沿って接触するように構成されることを特徴とする請求項１に記載の水路開閉設備用清掃具。
【請求項３】
前記保持手段は、前記軸体の外周を包囲可能に構成され、前記掻取手段が前記保持手段の内周から内側に向かって設けられることを特徴とする請求項１又は２に記載の水路開閉設備用清掃具。
【請求項４】
前記保持手段は、内周における掻取手段の近傍の掻き取り側と外側とを連通させた連通孔を備えていることを特徴とする請求項３に記載の水路開閉設備用清掃具。
【発明の詳細な説明】
【技術分野】
【０００１】
本発明は、水路開閉設備用清掃具に関し、詳しくは、水路に設けられたゲートに接続された軸体と、該軸体の外周を案内する案内体とを備え、前記軸体が案内体に案内されつつ軸心方向に移動するに伴って、前記ゲートが水路を開閉する水路開閉設備を対象に、軸体の外周に塗布された潤滑剤を除去するための水路開閉設備用清掃具に関する。
【背景技術】
【０００２】
従来から、工業排水などの放水や、水源などからの取水を目的とした水路には、水路の開閉を行なう水路開閉設備が設置されている。この水路開閉設備としては、水路の開閉を行なうゲートと、該ゲートに接続された軸体と、該軸体の外周を案内する案内体とを備え、前記軸体が案内体に案内されつつ軸心方向に移動するに伴って、前記ゲートが水路を開閉するように構成されたものがある。
【０００３】
そして、この種の水路開閉設備には、前記軸体と案内体とが螺合され、案内体を回転させることによって軸体を軸心方向に移動させるものや、前記案内体に軸体が挿通され、案内体とは別に備えられた駆動機構によって軸体又はゲートを移動させるものがある。
【０００４】
前記軸体は、案内体と螺合した状態、或いは、案内体に挿通された状態で軸心方向に移動するため、案内体との間に摩擦が生じることとなる。そのため、前記軸体と案内体との間の摩擦を小さい状態に保つべく、前記軸体の外周には、グリスやオイル等の潤滑剤が塗布されている。
【０００５】
ところで、前記潤滑剤は、軸体と案内体との接触や、屋外での使用による汚れの付着などによって潤滑性能が低下してしまうため、潤滑性能を維持すべく、定期的に新たな潤滑剤を塗布する必要がある。このように新たな潤滑剤を塗布するに当り、その潤滑剤の性能を十分に発揮させるためにも、潤滑性能の低下した先の潤滑剤を予め除去する必要がある。
【０００６】
このような状況に鑑み、潤滑剤の除去方法として、軸体の表面に洗浄水を噴射して軸体を洗浄する方法（特許文献１参照）が提案されているが、かかる方法では、前記軸体を水路開閉設備から取り外す必要があるため、手間がかかり、一般的には、前記案内体から露呈した軸体に対してウエス等を押し当てて潤滑剤を拭き取るようにしている。
【特許文献１】特開２０００−３３７０６９号公報
【発明の開示】
【発明が解決しようとする課題】
【０００７】
しかしながら、上記のような、ウエス等を用いた潤滑剤の除去作業では、一度に清掃可能な軸体の範囲に限界がある。すなわち、ウエス等で潤滑剤を拭き取る場合、作業者の手の届く範囲に限界があるため、拭き取りの対象範囲が手の届く位置にくるように軸体を適宜移動させながら潤滑剤を拭き取らなければならない。
【０００８】
そのため、かかる方法では、清掃作業に多くの手間と時間が必要となり、効率的に軸体の清掃を行なうことができないといった問題があった。また、かかる方法は、清掃中に何度もウエス等を交換する必要があることから、多量のウエス等を廃棄物として処分しなければならないため、廃棄物の排出量削減を重視する現状において何らからの施策を取らなければならないものであった。
【０００９】
そこで、本発明は、軸体の清掃に伴って発生する廃ウエスの量を最小限にすることができ、また、煩雑な作業を伴うことなく軸体の外周の潤滑剤を効率的、且つ、確実に除去することのできる水路開閉設備用清掃具を提供することを課題とする。
【課題を解決するための手段】
【００１０】
本発明にかかる水路開閉設備用清掃具は、水路に設けられたゲートと、該ゲートに接続された軸体と、該軸体の外周を案内する案内体とを備え、前記軸体が案内体に案内されつつ軸心方向に移動するに伴って、前記ゲートが水路を開閉する水路開閉設備を対象に、前記軸体の外周に塗布された潤滑剤を除去する水路開閉設備用清掃具であって、前記軸体の外周の少なくとも一部に沿って接触可能に構成された掻取手段と、該掻取手段を前記軸体の外周に接触した状態で保持するための保持手段とを備えることを特徴とする。
【００１１】
かかる構成の水路開閉設備用清掃具によれば、前記掻取手段が軸体の外周に沿って接触した状態で保持手段に保持されることで、前記軸体又は掻取手段の少なくとも何れか一方が移動したときに、掻取手段と軸体とが相対移動することになる。そして、掻取手段が軸体の外周に沿って接触した状態であるため、掻取手段と軸体との相対移動に伴って、掻取手段が潤滑剤を掻き取とることができる。
【００１２】
本発明にかかる水路開閉設備用清掃具は、前記軸体と前記案内体とが螺合するよう構成された前記水路開閉設備を対象に、前記掻取手段は、前記軸体の外周に形成されたネジの山谷に沿って接触するように構成されることが好ましい。
【００１３】
かかる構成の水路開閉設備用清掃具によれば、前記掻取手段が軸体の外周に形成されたネジの山谷に沿って接触することで、前記軸体又は掻取手段の少なくとも何れか一方が軸体の周方向に回転したときに、軸体と掻取手段とが周方向に相対回転しつつ軸心方向に相対移動することとなる。そして、掻取手段が軸体のネジの山谷に沿って接触することで、谷部の中の潤滑剤を除去しつつ山部の潤滑剤も同時に除去することができる。
【００１４】
本発明にかかる水路開閉設備用清掃具は、前記保持手段は、前記軸体の外周を包囲可能に構成され、前記掻取手段が前記保持手段の内周から内側に向かって設けられることが好ましい。
【００１５】
かかる構成の水路開閉設備用清掃具によれば、前記保持手段が前記軸体の外周を包囲可能に構成されることで、軸体に対して保持手段を安定して、また、確実に取り付けることができる。また、保持手段が軸体の外周に対して連続的、或いは、断続的に対向するため、掻取手段を周方向に連続的或いは断続的に設けることができる。そのため、掻取手段が軸体の外周の全周に渡って、或いは、複数箇所で接触することとなり、潤滑剤の除去を効率的に行なうことができる。
【００１６】
本発明にかかる水路開閉設備用清掃具は、前記保持手段は、内周における掻取手段の近傍の掻き取り側と外側とを連通させた連通孔を備えていることが好ましい。
【００１７】
かかる構成の水路開閉設備用清掃具によれば、前記保持手段の内周における掻取手段の近傍の掻き取り側と外側とを連通させた連通孔を備えることで、前記掻取手段による潤滑剤の掻き取りを行ないつつ、掻き取られた潤滑剤が連通孔へ送られ、保持手段の外側へ排出される。そのため、前記掻取手段と軸体との接触位置周辺に掻き取られた潤滑剤が堆積することがなく、掻き取られた潤滑剤が軸体に再び付着することを抑制することができる。
【発明の効果】
【００１８】
以上のように、本発明によれば、軸体の清掃に伴って発生する廃ウエスの量を最小限にすることができ、また、煩雑な作業を伴うこともないため、軸体の外周の潤滑剤を効率的且つ確実に除去することができる。
【発明を実施するための最良の形態】
【００１９】
＜第一実施形態＞
以下、本発明の第一実施形態について図１〜図５を参照しながら説明する。
【００２０】
まず始めに、本実施形態に係る水路開閉設備用清掃具が対象とする水路開閉設備について、図１を参照しながら説明する。かかる水路開閉設備は、水路に設けられたゲートＡと、該ゲートＡに接続された軸体Ｂと、該軸体Ｂを移動させる軸体移動手段Ｃとを備えるものである。具体的には、前記水路開閉設備は、軸心方向を上下にして設置された軸体Ｂの下端側にゲートＡが接続され、軸体Ｂが軸心方向に移動するに伴ってゲートＡが昇降し、水路の開閉を行なうように構成されている。
【００２１】
前記軸体移動手段Ｃは、軸体Ｂの外周を案内する案内体Ｃ１を備える。具体的には、本実施形態にかかる案内体Ｃ１は、軸体Ｂと螺合する雌ネジ体であり、該雌ネジ体が回転することで軸体Ｂを移動させるようになっている。また、軸体移動手段Ｃは、軸体Ｂを中心に案内体Ｃ１を回転させる回転機構（図示せず）を備える。具体的には、回転機構は、ウォーム機構等のギア機構が用いられる。そして、軸体移動手段Ｃは、軸体Ｂが上下に貫通可能なケーシングＣ２内に、前記雌ネジ体と回転機構とが収められ、ケーシングＣ２の外側に回転機構を駆動するハンドルＨを備えている。
【００２２】
本実施形態にかかる前記軸体Ｂは、外周にネジが形成されたものであり、軸体Ｂと案内体Ｃ１との間（本実施形態においては、雄ネジ体と雌ネジ体）の摩擦を小さくすべく、外周に潤滑剤が塗布される。そして、前記軸体Ｂは、外周に潤滑剤が塗布された状態で案内体Ｃ１と螺合することで、軸体Ｂのネジの山谷に潤滑剤が塗布された状態となる。前記潤滑剤としては、グリスやオイル等が用いられる。
【００２３】
次に、本実施形態にかかる水路開閉設備用清掃具１について、図２〜図５を参照しながら説明する。
【００２４】
本実施形態にかかる水路開閉設備用清掃具１は、上記したような水路開閉設備を対象に、軸体Ｂの外周に塗布された潤滑剤を除去するものである。かかる水路開閉設備用清掃具１は、図２及び図３に示すように、潤滑剤の除去を行なう清掃部２と、清掃部２を操作する操作ハンドル３と、清掃部２によって除去された潤滑剤を受け止める受け皿部４とで構成される。具体的には、前記清掃部２は、受け皿部４よりも上方で用いられ、これにより、除去された潤滑剤が受け皿部４で受け止められる。
【００２５】
前記清掃部２は、前記軸体Ｂの外周の少なくとも一部に沿って接触可能に構成された掻取手段５と、該掻取手段５を前記軸体Ｂの外周に接触した状態で保持するための保持手段６とを備えている。前記掻取手段５は、軸体Ｂの周方向に複数箇所で接触するように設けられる。具体的には、前記掻取手段５は、軸体Ｂとの接触位置が軸体Ｂを中心に対称位置となるように設けられる。本実施形態において、掻取手段５は、軸体Ｂを中心に周方向の対称位置に２つ設けられている。また、掻取手段５は、保持手段６から軸体Ｂに向かって設けられ、各掻取手段５は、保持手段６から軸体Ｂとの接触位置までの長さが等しくなるように形成されている（図４参照）。なお、前記掻取手段５は、１つ或いは２つ以上設けられるものであってもよい。
【００２６】
また、前記掻取手段５は、先細りしたヘラ状に形成され、軸体Ｂの軸心方向に沿った掻取面５ａを備えている（図３参照）。該掻取面５ａは、掻取手段５の先端において、軸心方向に沿って軸体Ｂの外周に接触するように構成される。即ち、本実施形態においては、軸体Ｂは、雄ネジ体であるため、前記掻取手段５は、図３に示すように、前記軸体Ｂの外周に形成されたネジの山谷に沿って接触するように構成される。そのため、掻取手段５は、先端部が軸体Ｂのネジの山谷に沿った形状に構成されている。本実施形態における掻取手段５は、先端部に軸体Ｂのネジの谷部に嵌め込まれて接触するように形成された谷用掻取部と、山部に接触するように形成された山用掻取部とをそれぞれ１つ備え、それらが軸心方向に連続して形成されている。
【００２７】
また、前記掻取手段５は、軸体Ｂと接触することによって軸体Ｂにキズを着けたり、破損したりさせないような材質を用いて構成される。具体的には、前記掻取手段５は、樹脂等を用いて構成される。また、前記掻取手段５は、グリス等の潤滑剤に対して耐性を有する材質を用いて構成されることが好ましい。また、前記掻取手段５は、保持手段６とは別体として形成され、保持手段６に対して着脱自在に構成されたものであってもよい。又は、前記掻取手段５は、保持手段６と一体的に形成されたものであってもよい。
【００２８】
また、前記保持手段６は、図４に示すように、前記軸体Ｂの外周を包囲可能に構成され、前記掻取手段５が前記保持手段６の内周から内側に向かって設けられる。前記保持手段６は、軸体Ｂの外周を包囲可能に構成された内周面を備え、軸体Ｂを包囲した状態で軸体Ｂと内周面との間に隙間が形成されるように構成される。また、前記保持手段６は、円筒形状に形成されている。また、前記保持手段６は、内周面から内側に向かって掻取手段５が設けられている。具体的には、前記保持手段６は、掻取手段５が内周面の上端部の周方向に複数設けられている。
【００２９】
また、前記保持手段６は、掻取手段５によって掻き取られた潤滑剤を排出する連通孔７を備える。具体的には、前記保持手段６は、図５に示すように、内周に形成された内周開孔７ａと、外周に形成された外周開孔７ｂとを備え、それらが連通することによって、保持手段６の内外を連通する連通孔７が形成されている。また、前記内周開孔７ａは、掻取手段５の近傍の掻き取り側に形成され、外周開孔７ｂは、保持手段６の下端部に形成されている。これにより、連通孔７は、除去された潤滑剤を保持手段６の上端部から下端部に向かって保持手段６の外に流し出すことができる。また、前記連通孔７は、掻取手段５と軸体Ｂとの接触位置における略接線方向に沿って形成される。
【００３０】
また、前記保持手段６は、軸体Ｂに対して着脱可能に構成される。具体的には、前記保持手段６は、図２及び図４に示すように、保持手段６の軸心を通る面で２つに分割され、分割された外周の一端部同士がヒンジ部材８によって連結されている。このため、分割された保持手段６は、ヒンジ部材８を支点に、連結されていない他端部を開閉することができ、その開閉部分から軸体Ｂに対して着脱することができる。また、連結されていない他端部には、ラッチ部材等の止め具９が備えられており、軸体Ｂを保持手段６に取り付けた状態を維持することができる。
【００３１】
また、前記操作ハンドル３は、保持手段６の外周に設けられる。具体的には、操作ハンドル３は、保持手段６の上端部から外方に延出し、周方向に等間隔で複数設けられている。また、操作ハンドル３は、水平方向に延出するように構成され、外周に直交する方向に形成されている。
【００３２】
前記受け皿部４は、図３及び図５に示すように、前記清掃部２の下側に設置され、保持手段６の外周よりも外側を囲むように形成されている。具体的には、前記受け皿部４は、円盤状に形成された底部４ａと、底部４ａの外周端部から起立する側壁部４ｂを備え、底部４ａの中央部には、軸体Ｂが貫通可能な貫通孔４ｃが形成されている。受け皿部４の内周は、貫通孔４ｃに軸体Ｂが貫通した状態で、軸体Ｂの外周との間に隙間があくように形成される。また、底部４ａは、貫通孔４ｃの周囲に、側壁部４ｂよりも低く形成された隆起部４ｄが形成され、隆起部４ｄと側壁部４ｂとの間の領域４ｅが窪み状となっている。
【００３３】
また、前記受け皿部４は、軸体Ｂに対して着脱可能に構成される。具体的には、図２に示すように、前記受け皿部４は、底部４ａの中心線を境に２つに分割され、分割された側壁部４ｂの一端同士がヒンジ部材８ａによって連結されている。このため、分割された受け皿部４は、ヒンジ部材８ａを支点に、連結されていない側壁部４ｂの他端部を開閉することができ、その開閉部分から軸体Ｂに対して着脱することができる。また、連結されていない側壁部４ｂの他端部には、ラッチ部材等の止め具９ａが備えられており、軸体Ｂを保持手段６に取り付けた状態を維持することができる。
【００３４】
次に、本実施形態にかかる水路開閉設備用清掃具１を用いて潤滑剤の清掃を行なう方法について説明する。
【００３５】
まず初めに、水路開閉設備用清掃具１を軸体Ｂに取り付ける。具体的には、前記保持手段６の連結されていない他端部を開き、前記案内体Ｃ１よりも上側に延出した軸体Ｂの側方から、軸体Ｂを保持手段６の内側に配置し、止め具９で保持手段６の他端部を閉じる。この際、前記掻取手段５は、先端部が軸体Ｂのネジの山谷に沿って軸体Ｂの外周に接触した状態となる。具体的には、保持手段６が軸体Ｂに取り付けられた状態で、掻取手段５の先端部は、軸体Ｂのネジの谷部に嵌め込まれると共に山部に接触した状態となっている。
【００３６】
そして、前記受け皿部４は、保持手段６の下側に取り付けられる。具体的には、連結されていない側壁部４ｂの他端部を開き、前記案内体Ｃよりも上側に延出した軸体Ｂに側方から、軸体Ｂを貫通孔４ｃの内側に配置し、止め具９ａで前記側壁部４ｂの他端部を閉じる。
【００３７】
次に、軸体Ｂを軸心方向に移動させる。具体的には、図１に示すように、前記ハンドルＨを回転させて回転機構を介して案内体Ｃ１を軸体Ｂの周りで回転させる。これにより、案内体Ｃ１と螺合した軸体Ｂは、軸心方向に移動することとなる。そして、操作ハンドル３を手で握り、軸体Ｂの移動に合せて、操作ハンドル３を軸体Ｂの周方向に回転させることによって、保持手段６が周方向へ回転することとなり、掻取手段５と軸体Ｂとが、軸体Ｂの周方向に相対回転すると共に、軸心方向に相対移動することになる。このため、軸体Ｂの軸心方向の移動に伴って、掻取手段５が軸体Ｂのネジの山谷から潤滑剤を連続的に掻き取ると共に、掻き取られた潤滑剤は、前記内周開孔７ａから連通孔７に導入され、外周開孔７ｂから排出される。排出された潤滑剤は、前記受け皿部４に流れ落ちて受け止められる（図３及び図４参照）。
【００３８】
以上のように第一実施形態にかかる水路開閉設備用清掃具１によれば、水路に設けられたゲートＡと、該ゲートＡに接続された軸体Ｂと、該軸体Ｂの外周を案内する案内体Ｃ１とを備え、前記軸体Ｂが案内体Ｃ１に案内されつつ軸心方向に移動するに伴って、前記ゲートＡが水路を開閉する水路開閉設備を対象に、前記軸体Ｂの外周に塗布された潤滑剤を除去する水路開閉設備用清掃具１であって、前記軸体Ｂの外周の少なくとも一部に沿って接触可能に構成された掻取手段５と、該掻取手段５を前記軸体Ｂの外周に接触した状態で保持するための保持手段６とを備えて構成されるため、掻取手段５と軸体Ｂとの相対移動に伴って、掻取手段５が潤滑剤を掻き取とることができ、軸体の清掃に伴って発生する廃ウエスの量を最小限にすることができ、また、煩雑な作業を伴うことなく軸体の外周の潤滑剤を効率的、且つ、確実に除去することができる。
【００３９】
また、前記水路開閉設備用清掃具１は、前記軸体Ｂと前記案内体Ｃ１とが螺合するよう構成された前記水路開閉設備を対象に、前記掻取手段５は、前記軸体Ｂの外周に形成されたネジの山谷に沿って接触するように構成されるため、谷部の中の潤滑剤を除去しつつ山部の潤滑剤も同時に除去することができる。
【００４０】
また、前記水路開閉設備用清掃具１は、前記保持手段６は、前記軸体Ｂの外周を包囲可能に構成され、前記掻取手段５が前記保持手段６の内周から内側に向かって設けられるため、潤滑剤の除去を効率的に行なうことができる。また、複数の掻取手段５が、等しい長さで形成され、軸心を中心に対称の位置に設けられることで、保持手段６が軸体Ｂを包囲した状態で、軸体Ｂにかかる掻取手段５の力に偏りが生じることがなく、掻取手段５を軸体Ｂの外周に確実に接触させることができ、潤滑剤を除去する効果を向上させることができる。
【００４１】
また、水路開閉設備用清掃具１は、前記保持手段６は、内周における掻取手段５の近傍の掻き取り側と外側とを連通させた連通孔７を備えて構成されるため、前記掻取手段５による潤滑剤の掻き取りを行ないつつ、掻き取られた潤滑剤を保持手段６の外側へ排出することができ、掻き取られた潤滑剤が軸体Ｂに再び付着することを抑制することができる。
【００４２】
＜第二実施形態＞
次に、本発明の第二実施形態について、図６及び図７を参照しながら説明する。第二実施形態に係る水路開閉設備用清掃具１は、第一実施形態に係る水路開閉設備用清掃具１と比較すると掻取手段５の構成が異なるものである。従って、以下では、第一実施形態と異なる点を中心説明し、同一の構成については、同一の符号を付すこととし、説明を省略する。
【００４３】
本実施形態にかかる掻取手段５は、ブラシ状に形成され、軸体Ｂのネジの山谷に沿って軸体Ｂに接触するように形成される。具体的には、前記掻取手段５は、軸体Ｂに形成されたネジの谷部の中に入り込む谷用ブラシ５ｂと、山部の上の潤滑剤を掻き取る山用ブラシ５ｃとを備えている。また、谷用ブラシ５ｂは、山用ブラシ５ｃよりも長尺に形成されている。また、前記掻取手段５は、前記保持手段６の内周の周方向、及び／又は、軸心方向に複数設けられる。また、前記掻取手段５は、弾性を有する素材から構成されている。即ち、谷用ブラシ５ｂと山用ブラシ５ｃは、弾性を備える素材を用いて構成される。
【００４４】
上記構成の掻取手段５は、保持手段６が軸体Ｂに取り付けられた状態で、谷用ブラシ５ｂが谷部の中に入り込み、山用ブラシ５ｃが山部に接触した状態となる。そして、軸体Ｂと保持手段６とが軸体Ｂの周方向に相対回転すると共に、軸心方向に相対移動することで、軸体Ｂに塗布された潤滑剤を谷用ブラシ５ｂ及び山用ブラシ５ｃが掻き取り、連通孔７を通して保持手段６の外側へ排出することができる。
【００４５】
以上のように第二実施形態に係る水路開閉設備用清掃具１によれば、掻取手段５がブラシ状に形成され、軸体Ｂのネジの山谷に沿って接触することで、掻取手段５が軸体Ｂのネジの山谷の隅まで届くため、細部の潤滑剤も掻き取ることができる。また、掻取手段５がブラシ状に形成されているため、掻取手段５と軸体Ｂとが接触する力が分散され、また、谷用ブラシ５ｂと山用ブラシ５ｃが弾性のある素材を用いて構成されているため、軸体Ｂの外周を掻取手段５によって傷つけることがない。
【００４６】
なお、本発明に係る水路開閉設備用清掃具は、上記実施形態に限定されるものではなく、本発明の要旨を逸脱しない範囲で種々の変更が可能である。
【００４７】
例えば、上記各実施形態では、清掃部２と受け皿部４とがそれぞれ別体として構成されているが、これに限定されるものでなく、図８に示すように、清掃部２と受け皿部４とが一体的に形成されるように構成されてもよい。そして、軸体Ｂが周方向へ回転しつつ軸心方へ移動する場合には、保持手段６と受け皿部４とが一体的に形成され、受け皿部４をケーシングＣ２にマグネットやボルト等で固定することで、保持手段６が軸体Ｂに追従して移動することがないため、操作ハンドル３を回転させることなく、軸体Ｂと保持手段６とを周方向へ相対回転させつつ軸方向へ相対移動させることができ、作業の手間を省くことができる。また、操作ハンドル３を設ける必要もないので水路開閉設備用清掃具の構成を簡略化することができる。
【００４８】
また、上記第一実施形態では、保持手段６が軸体Ｂの外周を包囲するように構成され、内周から内側に向かって掻取手段５が形成されていたが、これに限定されるものでなく、軸体Ｂが周方向へ回転しつつ軸心方へ移動する場合には、図９に示すように、保持手段６が、ケーシングＣ２にマグネットやボルト等で固定可能に構成された固定部６ａと、該固定部６ａから伸びるアーム部６ｂとから構成され、該アーム部６ｂの先端部に取り付けられた掻取手段５が軸体Ｂに接触するように構成されてもよい。また、掻取手段５は、軸体Ｂの周方向に複数設けられてもよく、好ましくは、４つ以上設けられることがよい。また、前記掻取手段５は、軸体Ｂと接触することによって軸体Ｂにキズを着けたり、破損したりさせないような材質を用いて構成される。具体的には、前記掻取手段５は、樹脂等を用いて構成される。また、前記掻取手段５は、グリス等の潤滑剤に対して耐性を有する材質を用いて構成されることが好ましい。また、前記掻取手段５は、アーム部６ｂに対して着脱自在に構成されたものであってもよく、アーム部６ｂと一体的に形成されたものであってもよい。
【００４９】
また、上記各実施形態では、案内体Ｃ１と軸体Ｂとが螺合するように構成されているが、これに限定されるものではなく、図１０に示すように、案内体Ｃ１と軸体Ｂとが螺合せず、案内体Ｃ１に軸体Ｂが挿通されたものであってもよい。この場合、軸体Ｂは平滑な外周を備えているため、掻取手段５は、軸体Ｂの外周の全周にわたって形成されてもよい。なお、この場合、案内体Ｃ１とは別体として備えられた油圧シリンダ等（図示せず）を用いて軸体Ｂ又はゲートＡを移動させるように構成される。
【００５０】
また、上記第一実施形態では、軸体Ｂのネジの山谷に接触する谷用掻取部と山用掻取部とがそれぞれ１つ備えられているが、これに限定されるものではなく、谷用掻取部と山用掻取部とがそれぞれ複数、或いは、連続して形成されてもよい。または、谷用掻取部のみを備える掻取手段と、山用掻取部のみを備える掻取手段とが別々に設けられてもよい。
【００５１】
また、上記各実施形態では、回転機構（図示せず）は、案内体Ｃ１を軸体Ｂの周方向に回転させるが、これに限定されるものではなく、軸体Ｂを周方向に回転させて軸心方向に移動するように構成されてもよい。この場合、保持手段６が軸体Ｂに追従して周方向に回転しないように、操作ハンドル３を手で抑えることで、掻取手段５と軸体Ｂとが、軸体Ｂの周方向に相対回転しつつ軸心方向に相対移動することとなる。このため、軸体Ｂの軸心方向への移動に伴って、掻取手段５が軸体Ｂのネジの山谷から潤滑剤を連続的に掻き取り、除去することができる。
【図面の簡単な説明】
【００５２】
【図１】第一実施形態にかかる水路開閉設備用清掃具を水路開閉設備に取り付けた際の側面図。
【図２】第一実施形態にかかる水路開閉設備用清掃具の平面図。
【図３】図２におけるＡ−Ａ断面図。
【図４】第一実施形態にかかる水路開閉設備用清掃具の包囲部の平面断面図。
【図５】図４におけるＢ−Ｂ断面図。
【図６】第二実施形態にかかる水路開閉設備用清掃具の平面断面図。
【図７】図６におけるＡ−Ａ断面図。
【図８】他の実施形態にかかる水路開閉設備用清掃具のＡ−Ａ断面図。
【図９】他の実施形態にかかる水路開閉設備用清掃具の側面図。
【図１０】他の実施形態にかかる水路開閉設備用清掃具の側面図。
【符号の説明】
【００５３】
１…水路開閉設備用清掃具、２…清掃部、３…操作ハンドル、４…受け皿部、４ａ…底部、４ｂ…側壁部、４ｃ…貫通孔、４ｄ…隆起部、５…掻取手段、５ａ…掻取面、５ｂ…谷用ブラシ、５ｃ…山用ブラシ、６…保持手段、６ａ…固定部、６ｂ…アーム部、７…連通孔、７ａ…内周開孔、７ｂ…外周開孔、８，８ａ…ヒンジ部材、９，９ａ…止め具、Ａ…ゲート、Ｂ…軸体、Ｃ…軸体移動手段、Ｃ１…案内体、Ｃ２…ケーシング、Ｈ…ハンドル
【図１】
2010024711.tif 000003
【図２】
2010024711.tif 000004
【図３】
2010024711.tif 000005
【図４】
2010024711.tif 000006
【図５】
2010024711.tif 000007
【図６】
2010024711.tif 000008
【図７】
2010024711.tif 000009
【図８】
2010024711.tif 000010
【図９】
2010024711.tif 000011
【図１０】
2010024711.tif 000012